(57)【特許請求の範囲】
【請求項１】
内容物を加熱充填して密封シールする液体用紙容器に装着する注出口であって、該注出口が、注出口本体とキャップとで構成され、該注出口本体は少なくとも筒部とその下部に設けられたフランジ部と筒部の内側に設けられた開封閉鎖部とからなり、該開封閉鎖部には、略環状の薄肉脆弱部により開封予定部が取り外し可能に区画され、該開封予定部の薄肉脆弱部に近接した位置に摘み手段が設けられており、該摘み手段による切り取り動作の開封終わり部の薄肉脆弱部の形状がＶ字形に形成され、前記Ｖ字形は、２等辺３角形状であって、かつ、薄肉脆弱部が形成する円弧に対する接線から形成されており、更に、前記開封予定部内であって、前記摘み手段位置から開封終わり部に向かって開封予定部の外面に、高さが１ｍｍ、幅が２ｍｍのリブが設けられていることを特徴とする注出口。
【発明の詳細な説明】
【０００１】
【発明の属する技術分野】
本発明は、液体を内容物として加熱充填する容器に装着するプルリング式注出口で、薄肉脆弱部を破壊して取出し口を形成する方式であって、特に紙容器に装着する注出口に関するものである。
【０００２】
【従来の技術】
従来、液体を収納する容器の注出口として一般的に用いられているものは、注出口本体とキャップとの組み合わせからなる注出口の注出口本体が、筒部、フランジ部、筒部内の開封予定部を含む閉鎖部材からなり、閉鎖部材内に開封予定部となる環状あるいはしずく形、ひし形等の薄肉脆弱部、そして開封予定部の内側であって薄肉脆弱部に近い部分に摘み手段を設け、筒部の外璧にはキャップと螺合するねじが設けたものである。前記摘み手段の先端には、摘み易いようにリングを連接する。
筒部外周壁にねじを設け、該ねじと螺合するねじを内壁に設けたキャップをセットして注出口組合せ体（以下、注出口）とする。
この注出口の開封は、前記薄肉脆弱部を破壊して開封部を形成するタイプの注出口であり、前述のように、開封のための薄肉脆弱部を破壊する際に薄肉脆弱部内に設けた摘み手段の先端にリングを形成することが多いためにプルリング式注出口といわれる。
プルリング式注出口における開封部の形成は、キャップを取り外し注出口本体の筒部内の摘み部（プルリング）を摘んで、上方に引っ張り上げることによって前記薄肉脆弱部が破壊されて、最終的に薄肉脆弱部によりかこまれた領域が取り外されて、そこに開封部が形成される。
前記プルリング式注出口は、液体を収納する容器として、ガラス瓶、プラスチックボトル、紙容器等の容器に装着され利用されている。
【０００３】
【発明が解決しようとする課題】
なかでも、常温流通を可能とするために加熱充填して密封シールするタイプのゲーベルトップ型紙容器であって、プラスチック成形による前記プルリング式注出口が装着された紙容器が数多く流通されている。
内容物を加熱充填して直ぐに密封シールした液体紙容器は、時間の経過とともに、内容物が冷却すると、容器内のヘッドスペース内の気体が減圧し、紙容器の側壁が内側に湾曲して液面を押し上げ、容器内の液面が注出口の装着部の近くにまで達する。ここで、プルリングを上方に引っ張り上げて開封する時に、液が開封部裏側に付着しており、開封の切り終わりが強いと、前記裏側の付着液が飛散って、その結果、衣服や食卓の周縁部等を汚染することがあった。
本発明は、上記のような問題点に鑑みてなされたものであり、加熱充填した液体紙容器のプルリング式注出口の開封において、開封終わりの内容物の飛びはねのおそれのない注出口を提供することである。
【０００４】
【課題を解決するための手段】
上記の課題は、以下の本発明により解決することができる。すなわち、請求項１に記載した発明は、内容物を加熱充填して密封シールする液体用紙容器に装着する注出口であって、該注出口が、注出口本体とキャップとで構成され、該注出口本体は少なくとも筒部とその下部に設けられたフランジ部と筒部の内側に設けられた開封閉鎖部とからなり、該開封閉鎖部には、略環状の薄肉脆弱部により開封予定部が取り外し可能に区画され、該開封予定部の薄肉脆弱部に近接した位置に摘み手段が設けられており、該摘み手段による切り取り動作の開封終わり部の薄肉脆弱部の形状がＶ字形に形成され、前記Ｖ字形は、２等辺３角形状であって、かつ、薄肉脆弱部が形成する円弧に対する接線から形成されており、更に、前記開封予定部内であって、前記摘み手段位置から開封終わり部に向かって開封予定部の外面に、高さが１ｍｍ、幅が２ｍｍのリブが設けられていることを特徴とする注出口からなる。
従来のプルリング式注出口における薄肉脆弱部は開封閉鎖部に真円またはそれに近い形状に設けられていたため、開封の最終動作で切り取り部を切り離す際に破壊抵抗が強くて、開封部裏側に付着した液が飛びはねることがあった。
本発明の注出口は、開封終わり部をＶ字状としたため、前記の開封予定部の切り離しにおいて、最終動作での抵抗値が少なく開封できるため、液の飛びはねがなくなり安心して開封ができるものである。
【０００５】
また、請求項１に記載した発明の注出口では、前記摘み手段位置から開封終わり部に向かって開封予定部の外面に、高さが１ｍｍ、幅が２ｍｍのリブが設けられているものであり、該リブの存在によって、開封に際してプルリングを引っ張り上げて薄肉脆弱部を破壊する方向が確実に開封終わり部に向うので、より安定した開封ができる。
【０００６】
すなわち、略環状に設けられた薄肉脆弱部の開封終わり部の形状をＶ字状とすることによって、開封予定部の切り離しの抵抗値が少なくなり、容器のゆれのない開封を可能とする。前記Ｖ字は、２等辺３角形状が望ましく、さらに、薄肉脆弱部が形成する円弧に対して接線であることが好ましい。一般に、紙容器に注出口を取付けるために超音波溶着方法が用いられるが、薄肉脆弱部の形状が円形に近いほど薄肉脆弱部の破壊（スコア切れ）によるピンホールの発生が少なく安定した溶着ができる。
【０００７】
本発明の注出口の注出口本体を形成する樹脂は、射出成形が可能であり、また、形成される薄肉脆弱部が摘み手段（リング）を引っ張り上げることによって
容易に破壊（切り取り）できる材質であって、容器本体が紙容器の場合には、紙容器の内面または外面に熱融着が可能な樹脂から選択される。具体的には、低密度ポリエチレン、線状低密度ポリエチレン、中密度ポリエチレン、高密度ポリエチレン、アイオノマー、ポリプロピレン等の樹脂またはこれらの樹脂の２以上のブレンド樹脂であってもよい。
本発明の注出口のキャップを形成する樹脂は、注出口本体に螺合しうるねじ部を含め、射出成形性を有するものであればよく、具体的には、低密度ポリエチレン、中密度ポリエチレン、高密度ポリエチレン、アイオノマー、ポリプロピレン、ポリアミド、ポリアクリロニトリル、ポリカーボネート、ポリスチレン等の単体樹脂またはこれらの樹脂の２以上の樹脂をブレンドしてもよい。
【０００８】
本発明の注出口は、開封における液の飛び出しを防止する効果を期待するものであって、前記加熱充填する液体紙容器において顕著な効果を示す。
【０００９】
液体状内容物を加熱充填する液体紙容器を構成する材質は、例えば、ゲーベルトップ型紙容器の場合には、例えば、低密度ポリエチレン層、液体容器専用紙、アルミニウム箔、延伸ポリエステルフィルム、低密度ポリエチレン層のような５〜８層の積層体から形成されることが多い。このような積層体は容器としてある程度の剛性を有している。
しかし、例えば日本酒のように６５〜７０℃の加熱充填を行い、密封した包装体を冷却して常温にまで冷却すると、容器内部が減圧し、大気圧によって特に容器の側面パネルが容器内側に湾曲して、内容物である液面が上昇することは前述の通りである。
このように、加熱充填して密封するタイプの包装容器における注出口として、前記プルリング式注出口を装着する場合に、本発明の注出口を利用することにより、包装容器から内容物を安全に取出すことができる。
【００１０】
【発明の実施の形態】
以下、本発明の注出口の実施の形態を図面に基づいて具体的に説明する。
以下の実施例、比較例ともに共通条件は以下の通りである。
容器タイプ：ゲーベルトップ型紙容器
容器本体の材質：ＬＤＰＥ３０／紙容器専用紙２２０／ＡＬＭ９／ＡＤ／
ＰＥＴ１２／ＡＤ／ＬＬＤＰＥ６０
［略号  ＬＤＰＥ：低密度ポリエチレン、ＡＤ：接着剤層、ＡＬＭ：アルミニウム箔、ＰＥＴ：ポリエチレンテレフタレートフィルム、ＬＬＤＰＥ：直鎖状低密度ポリエチレン、また、各略号の後の数字は層の厚さμｍ、但し紙の単位はｇ／ｍ２］
内容物：水
内容量：１８００ｍｌ
内容物充填温度：７０℃
開封時の液温：２０℃
注出口の材質：低密度ポリエチレン（密度  ０．９２２）
キャップの材質：ポリプロピレン
摘み手段の形状はいずれもプルリング式。
［実施例１］
図１（ａ）に示すように、注出口本体１とキャップ２０とからなる注出口Ｓであって、
図１（ｃ）に示すように、開封閉鎖部３における薄肉脆弱部５の形状を直径１５ｍｍの円形状とし、開封終わり部９の形状をＶ字状とした。薄肉脆弱部５の厚さは全域２５０μｍとした。
［実施例２］
薄肉脆弱部５の形状は、実施例１と同じ形状とし、図１（ｄ）および図１（ｅ）に示すように、摘み手段６から開封終わり部９に向かって高さ１ｍｍ、巾２ｍｍのリブ１０を設けた。
【００１１】
［比較例１］
薄肉脆弱部５の形状は、図３に示すように、直径１５ｍｍの円形状とし、薄肉脆弱部５の肉厚としては、全域２５０μｍとした。
【００１２】
＜開封と結果＞
開封は、１０名のパネルによって行い、いずれも容器を手で持った状態で、プルリング７を引っ張り上げて開封した時の開封終わりの液の飛びはねや液こぼれを観察した。
実施例１においては、プルリング７を引っ張って薄肉脆弱部を破壊して開封予定部を切り取りすると、薄肉脆弱部は開封終わりにおいても静かに破壊されて、従来の注出口に見られた開封部付着液の飛び羽根がなく、１０名のパネルの全員安心して開封ができた。
実施例２においては、プルリング７の引っ張り方向が多少ずれても、開封終わりの方向に向かって開封していく。全員内容物（水）が飛びはねがなく、さらに確実な開封ができた。
プルリング式注出口Ｓを装着した紙容器Ｐに内容物Ｆを加熱充填し密封すると、内容物が冷却すると、容器内が減圧状態となり、図２（ｃ）に示すように、側面パネルが容器の内側に湾曲（ｄ1）して液面を持ち上げる。
本発明の注出口は、このように、注出口近傍まで上昇した液面の場合にも、開封終わり部９の薄肉脆弱部がＶ字状であるため、開封予定部の最後の切り離しの際に静かに開封できる。その結果開封部裏面の付着液の飛びはねのない開封が可能で、１０名のパネル全員が安心して開封ができた。
因みに，開封後容器内に空気が容器内に流れ込み、減圧が解除された時には、、図２（ｄ）に示すように、内容物の液面はＬ2の位置まで沈下し、側面パネル３２は、外方に僅かに湾曲（ｄ2）する。
比較例１においては、容器Ｐを手に持って、プルリング７を引っ張り上げ、開封部の最後の切り離しの際に強度があるため、１０名中、３人において液が飛びはねて周囲を汚染した。開封終わりの液の飛びはねを完全に防ぐためには、容器Ｐを平面に載置して、静かにプルリング７を引っ張り上げる必要があった。
【００１３】
【発明の効果】
摘み手段により切り取り動作の途上において、環状の薄肉脆弱部でかこまれた、開封閉鎖部の形状において、開封終わり部をＶ字型にすることによって、開封部の切り離しの際の抵抗が殆どなくなり内容物の飛び出しのない開封が可能となった。
【図面の簡単な説明】
【図１】本発明の紙容器用注出口の実施形態を説明する図で、（ａ）注出口の注出口本体とキャップとの斜視図、（ｂ）注出口本体の断面図、（ｃ）第一の実施形態を示すＸ0−Ｘ0の断面図、（ｄ）第二の実施形態を示すＸ0−Ｘ0の断面図（ｅ）
Ｘ1−Ｘ1の断面図である。
【図２】本発明の注出口の実施の形態による効果を説明する図で、（ａ）本発明の注出口を装着した液体紙容器の斜視図、（ｂ）容器内の減圧がなく、容器が完全に剛性である場合のＸ2−Ｘ2の断面図、（ｃ）加熱充填し、密封した場合のＸ2−Ｘ2の断面図、（ｄ）密封を解除した場合のＸ2−Ｘ2の断面図である。
【図３】比較例の注出口本体の閉鎖部における薄肉脆弱部の形状を説明する図である。
【符号の説明】
Ｐ  包装体
Ｓ  注出口
Ｆ  内容物
ｋ  開封予定部
１  注出口本体
２  筒部
３  閉鎖部
４  フランジ部
５  薄肉脆弱部
６  摘み部
７  リング部
８  ねじ部
９  開封終わり部
１０  リブ
２０  キャップ
３１  傾斜パネル
３２  側面パネル
３３  トップシール部
【図１】
0004334803.tif 000002
【図２】
0004334803.tif 000003
【図３】
0004334803.tif 000004